(57)【要約】【課題】簡単な構成で、かご室の製作後においてかご室内の全体の明るさをエレベータ発注元のイメージに合わせて調整することができるエレベータのかご室照明装置を提供する。【解決手段】エレベータのかご室内を照明するためのランプ１９と、このランプ１９の光をかご室内に反射させる反射部材２１とを備える。反射部材２１は複数種が用意され、その複数種の反射部材２１はランプ１９の光を反射させる反射度合がそれぞれ異なり、その複数種のうちの１つの反射部材２１を選択してかご室に取り付けることによりかご室内の明るさを変えることが可能となっている。【選択図】      図２
2009007122.tif 000002
【特許請求の範囲】
【請求項１】
エレベータのかご室内を照明するための光源と、
前記光源の光を前記かご室内に反射させることが可能であるとともに、その反射度合を調整して前記かご室内の明るさを変えることが可能な反射度合調整手段と、
を具備することを特徴とするエレベータのかご室照明装置。
【請求項２】
前記反射度合調整手段は、
前記かご室に脱着可能に取り付けられて前記光源の光を前記かご室内に反射させることが可能な複数種の反射部材を備え、
その複数種の反射部材は前記光源の光を反射させる反射度合がそれぞれ異なり、その複数種のうちの１つの反射部材を選択して前記かご室に取り付けることにより前記かご室内の明るさを変えることが可能なことを特徴とする請求項１に記載のエレベータのかご室照明装置。
【請求項３】
前記反射部材は前記光源の光を反射させる反射面を有し、複数種の反射部材ごとでその反射面の明度が異なり、その明度の違いで反射度合に差異を生じさせていることを特徴とする請求項２に記載のエレベータのかご室照明装置。
【請求項４】
前記反射部材は前記光源の光を反射させる反射面領域を拡縮することが可能なことを特徴とする請求項２又は３に記載のエレベータのかご室照明装置。
【請求項５】
前記反射度合調整手段は、前記光源が配置されたかご室の天井面にスライド可能に設けられ、表面が前記光源の光を反射させる反射面となっている反射部材を備え、この反射部材には開口が形成され、前記かご室の天井面には前記反射部材の開口と対向可能な部分に、前記反射部材の反射面と異なる反射度合の反射部が設けられ、前記反射部材をスライドさせて前記開口と前記反射部とが対向する面積を調整することで、前記光源の光の反射度合を調整して前記かご室内の明るさを変えることが可能となっていることを特徴とする請求項１に記載のエレベータのかご室照明装置。
【発明の詳細な説明】
【技術分野】
【０００１】
この発明は、エレベータのかご室内を照明するかご室照明装置に関する。
【背景技術】
【０００２】
エレベータのかご室を製作する際には、まずエレベータの発注元の希望を受けてかご室の意匠を決定し、かご室意匠図という図面を作成する。そしてそのかご室意匠図に基づいてかご室を設計し、製作する。
【０００３】
かご室の天井部には照明装置が設けられ、その照明装置を含む天井部の外観的形態の意匠についてはかご室意匠図により表現することはできる。しかしながら、その照明装置が点灯したときのかご室の明るさについては表現することは難しい。かご室の明るさの感覚は、壁や床の色や材質に左右されるため、実際にかご室を製作して納入した際にエレベータ発注元が想定した明るさのイメージと合わず、発注元の希望に沿えなくなることがある。
【０００４】
そこで、明るさの調整が可能な調光式の照明装置をかご室の天井部に設け、かご室納入後に照明装置による実際の明るさを発注元のイメージに沿うように調整する手段が採用されることがある。
【０００５】
また、特開２００４−１３７０１１公報や特開２００４−１５５５５６公報では、反射板の角度を調節して照明の光ムラを軽減したり、光を乱反射させる光反射部材を設けて照明の光ムラを軽減したりすることが可能なかご室照明装置が提案されている。
【特許文献１】特開２００４−１３７０１１公報
【特許文献２】特開２００４−１５５５５６公報
【発明の開示】
【発明が解決しようとする課題】
【０００６】
しかしながら、かご室の天井部に調光式の照明装置を設ける場合、その調光式の照明装置が高価であるためかご室の製作コストが高くなり、また調光式の照明装置は種類が限られ、天井設計の際に使用するランプの種類や長さ、大きさに制約が生じ、かご室の設計の自由度が低くなり、さらに保守性も悪い。
【０００７】
また、特開２００４−１３７０１１公報や特開２００４−１５５５５６公報のものは、照明の光ムラを軽減するだけで、かご室全体の明るさを調整するようなことについては何ら開示されていない。
【０００８】
この発明はこのような点に着目してなされたもので、その目的とするところは、簡単な構成で、かご室の製作後においてかご室内の全体の明るさをエレベータ発注元のイメージに合わせて調整することができるエレベータのかご室照明装置を提供することにある。
【課題を解決するための手段】
【０００９】
請求項１の発明は、エレベータのかご室内を照明するための光源と、前記光源の光を前記かご室内に反射させることが可能であるとともに、その反射度合を調整して前記かご室内の明るさを変えることが可能な反射度合調整手段とを具備することを特徴としている。
請求項２の発明は、前記反射度合調整手段が、前記かご室に脱着可能に取り付けられて前記光源の光を前記かご室内に反射させることが可能な複数種の反射部材を備え、その複数種の反射部材は前記光源の光を反射させる反射度合がそれぞれ異なり、その複数種のうちの１つの反射部材を選択して前記かご室に取り付けることにより前記かご室内の明るさを変えることが可能なことを特徴としている。
【００１０】
請求項３の発明は、前記反射部材が前記光源の光を反射させる反射面を有し、複数種の反射部材ごとでその反射面の明度が異なり、その明度の違いで反射度合に差異を生じさせることを特徴としている。
【００１１】
請求項４の発明は、前記反射部材が光源の光を反射させる反射面領域を拡縮することが可能なことを特徴としている。
【００１２】
請求項５の発明は、前記反射度合調整手段が、前記光源が配置されたかご室の天井面にスライド可能に設けられ、表面が前記光源の光を反射させる反射面となっている反射部材を備え、この反射部材には開口が形成され、前記かご室の天井面には前記反射部材の開口と対向可能な部分に、前記反射部材の反射面と異なる反射度合の反射部が設けられ、前記反射部材をスライドさせて前記開口と前記反射部とが対向する面積を調整することで、前記光源の光の反射度合を調整して前記かご室内の明るさを変えることが可能なことを特徴としている。
【発明の効果】
【００１３】
この発明によれば、簡単な構成で、かご室の製作後においてかご室内の全体の明るさをエレベータ発注元のイメージに合わせて調整することができるエレベータのかご室照明装置を提供することができる。
【発明を実施するための最良の形態】
【００１４】
以下、この発明の実施の形態について図面を参照して説明する。
【００１５】
図１にはこの発明の第１の実施形態に係るエレベータかご室１の断面図を示してある。かご室１は、かご床２を備え、このかご床２の上にかご室１の側壁を構成する複数枚の側板３が設けられ、これら側板３の上部に天井板４が取り付けられている。かご室１の前面には一対の入口柱６が設けられ、これら入口柱６の外側に脇板７が設けられ、また入口柱６の相互間の上部に幕板８が設けられ、この幕板８と一対の入口柱６で囲まれた空間がかご室１に対する乗客の出入口９となっている。そしてこの出入口９にその開閉用のかごドア１０が設けられている。
【００１６】
天井板４の下面には照明ケース１２が取り付けられ、この照明ケース１２の内側において天井板４の下面に均等的に複数の照明ユニット１３が配設されている。照明ケース１２の下面の開口部には照明ユニット１３と対向して透光性材料からなる照明板１４が脱着可能に取り付けられている。
【００１７】
図２には天井板４の下面に設けられた各照明ユニット１３の構造を示してある。照明ユニット１３は、天井板４の下面に取り付けられた一方向に長いシャーシ１７と、このシャーシ１７の下面両端部に設けられた一対のソケット１８（一方のみ図示）と、これらソケット１８間に脱着可能に取り付けられた光源としての例えば直管型の蛍光ランプ１９とで構成されている。
【００１８】
シャーシ１７の両側には対称的に一対の反射部材２１が設けられている。これら反射部材２１はシャーシ１７に沿って一方向に長い板状をなし、シャーシ１７の側面と対向する側板部２２と、この側板部２２の下端縁から斜め下方に傾斜して蛍光ランプ１９と対向する反射部２３と、側板部２２の上端縁からほぼ直角に折曲して水平に延びる取付部２４とを一体に有している。取付部２４は天井板４の下面に突き当てられ、この取付部２４から天井板４に渡って取付ねじ２５が挿入されている。この取付ねじ２５は天井板４の上面に溶接固定されたナット２６にねじ込まれ、その締め付けで反射部材２１が天井板４の下面に脱着可能に取り付けられている。
【００１９】
反射部材２１の反射部２３はその下端側が蛍光ランプ１９から漸次離れるように斜め下方に傾斜し、この反射部２３の蛍光ランプ１９と対向する表面が反射面２３ａとなっている。そして少なくとも反射面２３ａの全体の領域を含む反射部材２１の表面に所定の明度の塗料が塗布されている。
【００２０】
各照明ユニット１３は、それぞれ前記取付ねじ２５を用いて天井板４に取り付けることが可能な複数種の反射部材２１を備えている。これら反射部材２１はそれぞれ外形形状は同じであるが、種類ごとにその反射面２３ａの色の明度が暗色、明色、その中間色などのような異なる明度となっている。例えば、第１の種類の反射部材２１では黒色、第２の種類の反射部材２１では白色、第３の種類の反射部材２１では黒色と白色との中間の灰色となっている。そしてこれら複数種の反射部材２１を天井板４に既に取り付けられている反射部材２１と任意に交換することができるようになっている。
【００２１】
いま、図１及び図２において、天井板４に取り付けられている各反射部材２１の反射面２３ａの色が白色であるとすると、この場合には、蛍光ランプ１９の点灯による光がその白色の反射面２３ａで反射し、この光でかご室１内の全体が照明されるが、この際、反射面２３ａの色合いが明色系の白色であるから光の反射度合が大きく、このためかご室１内の照度は高目となる。
製作したかご室１内の明るさがエレベータ発注元のイメージに合わず、もう少し明るさを抑えたいという希望がある場合には、天井板４の各反射部材２１を取り外し、反射面２３ａの色が灰色である反射部材２１と交換する。この交換は、照明ケース１２の下面の照明板１４を取り外して照明ケース１２の下面を開放することにより容易に行なえる。また、天井板４に対する反射部材２１の脱着は取付ねじ２５をナット２６に対して抜き差しすることで容易に行なえる。なお、各反射部材２１を交換した後には、照明ケース１２の下面に再度照明板１４を取り付ける。
【００２２】
このように、反射面２３ａの色が灰色である反射部材２１をかご室１の天井板４に取り付けた場合には、白色の場合よりも光の反射度合が小さく、このためかご室１内の明るさをやや低くすることができる。
さらに、かご室１内の明るさをより低く抑えたい場合には、反射面２３ａの色が灰色である反射部材２１に換えて反射面２３ａの色が黒色である反射部材２１をかご室１の天井板４に取り付ける。この場合には、灰色の場合よりも光の反射度合がより小さくなり、このためかご室１内の明るさをより低くすることができる。
このように本実施形態によれば、かご室１を製作し、かご室１をエレベータ発注元に納入する際に、かご室１内の照明の明るさが発注元の希望に沿わない場合に、単に反射部材２１を交換するだけで、容易にその明るさを調整して発注元の希望に沿うかご室１を提供することができる。
【００２３】
なお、反射面２３ａの色が灰色である場合、その灰色の濃度が段階的に異なる複数種の反射部材２１を取り揃えて用意し、それを選択的に使用するようにすれば、より細かくかご室１内の明るさを調整することができる。
【００２４】
また、反射面２３ａに施す色は白色、黒色、灰色とする場合に限らず、他の色調の白色系の色、暗色系の色、その中間色系の色を施して光の反射度合を変えることも可能である。
【００２５】
図３には第２の実施形態を示してある。この実施形態においては、反射部材２１の反射部２３の上に複数枚の補助反射板３０ａ，３０ｂが重ねて配設されている。これら補助反射板３０ａ，３０ｂは、図３（Ａ）に示す縮小状態から図３（Ｂ）に示すように反射部２３の傾斜に沿ってスライドして伸長させることが可能となっている。すなわち補助反射板３０ａは例えば反射部２３の上にアリとアリ溝との嵌合でその反射部２３に対してスライド可能に支持され、補助反射板３０ｂは補助反射板３０ｂの上にアリとアリ溝との嵌合でその補助反射板３０ａに対してスライド可能に支持されている。
そしてこのような同じ構造の複数種の反射部材２１が予め製作されて用意されている。その複数種の反射部材２１のうちの第１の種類の反射部材２１は、反射部２３の内面の反射面２３ａ及び各補助反射板３０ａ，３０ｂの内面の色がそれぞれ例えば白色で、第２の種類の反射部材２１は、反射部２３の内面の反射面２３ａ及び各補助反射板３０ａ，３０ｂの内面の色が例えば黒色で、第３の種類の反射部材２１は、反射部２３の内面の反射面２３ａ及び各補助反射板３０ａ，３０ｂの内面がそれぞれ例えば灰色となっていて、そのうちの一種類の反射部材２１がかご室の天井板４に選択的に取り付けられ、その選択により前記第１の実施形態の場合と同様に前記色の違いによる光の反射度合の差異でかご室内の明るさが調整されるようになっている。
そしてこの第２の実施形態の場合には、同じ色の反射部材２１を用いる場合であっても、補助反射板３０ａ，３０ｂを伸長させ、或いは縮小させることにより蛍光ランプ１９の光が反射する領域が拡張し、或いは縮小し、このためその伸縮操作で蛍光ランプ１９の光の反射度合を微調整してかご室内の明るさを変えることができる。
【００２６】
図４及び図５には第３の実施形態を示してある。この実施形態においては、かご室の天井板４の下面にブラケット３５を介して照明ユニット１３のシャーシ１７が取り付けられ、このシャーシ１７の下面にソケット１８を介して光源としての蛍光ランプ１９が取り付けられている。
【００２７】
天井板４の下面には照明ユニット１３に対応して反射部材３６が取り付けられている。この反射部材３６は、蛍光ランプ１９とほぼ同じ長さで、かつ蛍光ランプ１９の両側に十分に広がる幅を有した矩形状のプレートで構成されている。
【００２８】
反射部材３６のほぼ四隅部分には蛍光ランプ１９と直交する方向に延びる長孔３７が形成され、これら長孔３７を通して反射部材３６の下面側から天井板４に渡って取付ねじ３８が螺挿され、これら取付ねじ３８の締め付けにより反射部材３６が天井板４に固定されている。そして前記取付ねじ３８を緩めることにより反射部材３６を蛍光ランプ１９と直交する方向に長孔３７をガイドとしてスライド移動させ、所定の位置で取付ねじ３８を再度締め付けることによりその位置に位置決めすることができるようになっている。そしてこの反射部材３６の板面には、短冊状をなす複数の開口４０が並列して形成されている。
【００２９】
反射部材３６の下面には、各開口４０を除く全体の領域に明色系の例えば白色の塗料が塗布されている。また、天井板４の下面には、その一部を除いて反射部材３６と同じ明色系の例えば白色の塗料が塗布され、前記反射部材３６の各開口４０にほぼ対応する一部の範囲に暗色系の例えば黒色の塗料が塗布され、その範囲が暗色の反射部４ａとなっている。そして、反射部材３６をスライドさせることにより、各開口４０を天井板４の暗色の反射部４ａに対向させ、或いはその暗色の反射部４ａを反射部材３６の板面で覆い隠すことができるようになっている。
【００３０】
図５においては、天井板４の暗色の反射部４ａに反射部材３６の開口４０が対向し、その開口４０を通して暗色の反射部４ａのほぼ全体が露出する状態にある。この状態では、蛍光ランプ１９の光は、白色の反射部材３６と暗色の反射部４ａとで反射し、そのかご室内が照明される。この場合には、蛍光ランプ１９の光が白色の反射部材３６と暗色の反射部４ａとで反射するため、その反射度合がやや小さく、かご室内の明るさがやや低く抑えられる。
【００３１】
これに対し、反射部材３６をスライドさせて開口４０と暗色の反射部４ａとが対向する面積を調整すると、暗色の反射部４ａの露出領域が絞られ、白色の領域が増す。このため光の反射度合が大きくなり、かご室内の明るさが高まる。さらに、反射部材３６をスライドさせて暗色の反射部４ａの全体を反射部材３６で覆い隠すと、反射部材３６の板面全体が白色の領域となり、このため光の反射度合がより大きくなり、かご室内の明るさをより高めることができる。
【００３２】
このように本実施形態においても、かご室を製作し、かご室をエレベータ発注元に納入する際に、かご室内の照明の明るさが発注元の希望に沿わない場合に、単に反射部材３６をスライドさせるだけで、容易にその明るさを調整して発注元の希望に沿うかご室とすることができる。
【図面の簡単な説明】
【００３３】
【図１】この発明の第１の実施形態に係るエレベータのかご室の構成を示す断面図。
【図２】そのかご室の照明装置を示す正面図。
【図３】この発明の第２の実施形態に係るエレベータのかご室照明装置を示す正面図。
【図４】この発明の第３の実施形態に係るエレベータのかご室照明装置を示す側面図。
【図５】そのかご室照明装置を下から見た平面図。
【符号の説明】
【００３４】
１…かご室
４…天井板
４ａ…反射部
１２…照明ケース
１３…照明ユニット
１４…照明板
１７…シャーシ
１８…ソケット
１９…蛍光ランプ
２１…反射部材
２２…側板部
２３…反射部
２３ａ…反射面
２４…取付部
２６…ナット
３０ａ．３０ｂ…補助反射板
３６…反射部材
３７…長孔
４０…開口
【図１】
2009007122.tif 000003
【図２】
2009007122.tif 000004
【図３】
2009007122.tif 000005
【図４】
2009007122.tif 000006
【図５】
2009007122.tif 000007